(57)【要約】【課題】送信先との通信結果を送信元が希望するタイミングで通知する中継装置及びプログラムを提供する。【解決手段】中継装置１は、送信元の末端装置４から送信先の外部装置６へのファクシミリ送信の要求があったとき、送信先に対してファクシミリ通信を行う通信手段と、ファクシミリ通信が成功したか失敗したかを判定する判定手段と、判定手段による判定結果を通信結果情報として記録する記録手段と、送信元に対応して登録された通知条件に基づいて、記録された通信結果情報を送信元に通知する通知手段と、を備える。【選択図】図１
2014183546.tif 000002
【特許請求の範囲】
【請求項１】
送信元から送信先へのファクシミリ送信の要求があったとき、前記送信先に対してファクシミリ通信を行う通信手段と、
前記通信手段による前記ファクシミリ通信が成功したか失敗したかを判定する判定手段と、
前記判定手段による判定結果を通信結果情報として記録する記録手段と、
前記送信元に対応して登録された通知条件に基づいて、記録された前記通信結果情報を前記送信元に通知する通知手段と、
を備えた中継装置。
【請求項２】
前記通知手段は、前記通知条件として通知時刻が到来したとき、前記通信結果情報を前記送信元に通知する、
請求項１に記載の中継装置。
【請求項３】
前記通知手段は、前記通知条件として前記送信元から通知依頼があったとき、前記通知時刻が到来する前であっても前記通信結果情報を前記送信元に通知する、
請求項２に記載の中継装置。
【請求項４】
前記通知手段は、前記通知条件として前記判定手段により前記ファクシミリ通信が失敗したと判定されたとき、前記通知時刻が到来する前であっても前記通信結果情報を前記送信元に通知する、
請求項２又は３に記載の中継装置。
【請求項５】
前記通知手段は、前記ファクシミリ通信が失敗した通信結果情報のみを前記送信元に通知する、
請求項１から４のいずれか１項に記載の中継装置。
【請求項６】
前記送信元から電子メールにより前記ファクシミリ送信の要求を受け付ける受付手段をさらに備えた請求項１から５のいずれか１項に記載の中継装置。
【請求項７】
前記送信元からファクシミリ通信により前記ファクシミリ送信の要求を受け付ける受付手段をさらに備えた請求項１から５のいずれか１項に記載の中継装置。
【請求項８】
コンピュータを、
送信元から送信先へのファクシミリ送信の要求があったとき、前記送信先に対してファクシミリ通信を行う通信手段と、
前記通信手段による前記ファクシミリ通信が成功したか失敗したかを判定する判定手段と、
前記判定手段による判定結果を通信結果情報として記録する記録手段と、
前記送信元に対応して登録された通知条件に基づいて、記録された前記通信結果情報を前記送信元に通知する通知手段、
として機能させるためのプログラム。
【発明の詳細な説明】
【技術分野】
【０００１】
本発明は、中継装置及びプログラムに関する。
【背景技術】
【０００２】
従来、同一の原稿を中継依頼局から複数の宛先に伝送するファクシミリシステムとして、同時に複数の宛先に対し原稿を伝送する中継同報ファクシミリシステムが知られている（例えば、特許文献１参照。）。
【０００３】
この中継同報ファクシミリシステムは、中継依頼局から同一の原稿を公衆網を介して複数の宛先としての中継局に同時に伝送すると、各中継局から公衆網を介して通信結果が中継依頼局に返送される。
【０００４】
また、従来、同一のネットワーク上のファクシミリ機能を有する画像処理装置を利用して、ファクシミリ機能を有していない画像処理装置から、ファクシミリ通信を行う画像処理システムが知られている（例えば、特許文献２参照。）。
【０００５】
この種の画像処理システムにおいても、ファクシミリ機能を有する画像処理装置は、送信先との間でファクシミリ通信が成功したか失敗したかの通信結果がファクシミリ機能を有していない画像処理装置に返送される。
【先行技術文献】
【特許文献】
【０００６】
【特許文献１】特開昭６４−４９３４６号公報
【特許文献２】特開２００６−２２２６３５号公報
【発明の概要】
【発明が解決しようとする課題】
【０００７】
本発明の目的は、送信先との通信結果を送信元が希望するタイミングで通知する中継装置及びプログラムを提供することにある。
【課題を解決するための手段】
【０００８】
［１］送信元から送信先へのファクシミリ送信の要求があったとき、前記送信先に対してファクシミリ通信を行う通信手段と、前記通信手段による前記ファクシミリ通信が成功したか失敗したかを判定する判定手段と、前記判定手段による判定結果を通信結果情報として記録する記録手段と、前記送信元に対応して登録された通知条件に基づいて、記録された前記通信結果情報を前記送信元に通知する通知手段と、を備えた中継装置。
［２］前記通知手段は、前記通知条件として通知時刻が到来したとき、前記通信結果情報を前記送信元に通知する、前記［１］に記載の中継装置。
［３］前記通知手段は、前記通知条件として前記送信元から通知依頼があったとき、前記通知時刻が到来する前であっても前記通信結果情報を前記送信元に通知する、前記［２］に記載の中継装置。
［４］前記通知手段は、前記通知条件として前記判定手段により前記ファクシミリ通信が失敗したと判定されたとき、前記通知時刻が到来する前であっても前記通信結果情報を前記送信元に通知する、前記［２］又は［３］に記載の中継装置。
［５］前記通知手段は、前記ファクシミリ通信が失敗した通信結果情報のみを前記送信元に通知する、前記［１］から［４］のいずれかに記載の中継装置。
［６］前記送信元から電子メールにより前記ファクシミリ送信の要求を受け付ける受付手段をさらに備えた前記［１］から［５］のいずれかに記載の中継装置。
［７］前記送信元からファクシミリ通信により前記ファクシミリ送信の要求を受け付ける受付手段をさらに備えた前記［１］から［５］のいずれかに記載の中継装置。
【０００９】
［８］コンピュータを、送信元から送信先へのファクシミリ送信の要求があったとき、前記送信先に対してファクシミリ通信を行う通信手段と、前記通信手段による前記ファクシミリ通信が成功したか失敗したかを判定する判定手段と、前記判定手段による判定結果を通信結果情報として記録する記録手段と、前記送信元に対応して登録された通知条件に基づいて、記録された前記通信結果情報を前記送信元に通知する通知手段、として機能させるためのプログラム。
【発明の効果】
【００１０】
請求項１、８に係る発明によれば、送信先との通信結果を送信元が希望するタイミングで通知することが可能となる。
請求項２に係る発明によれば、送信元は、希望する通知時刻に通信結果をまとめて知ることができる。
請求項３に係る発明によれば、送信元は、登録した通知時刻が到来する前であっても、必要なときに通信結果を知ることができる。
請求項４に係る発明によれば、送信元は、登録した通知時刻が到来する前であっても、ファクシミリ通信が失敗したときの通信結果を知ることができる。
請求項５に係る発明によれば、送信元は、全ての通信結果が通知される場合と比べてファクシミリ通信が失敗したときの通信結果を容易に知ることができる。
請求項６に係る発明によれば、送信元と中継装置をネットワークによって接続した通信システムにおいて、送信先との通信結果を送信元が希望するタイミングで通知することが可能となる。
請求項７に係る発明によれば、送信元と中継装置を公衆網によって接続した通信システムにおいて、送信先との通信結果を送信元が希望するタイミングで通知することが可能となる。
【図面の簡単な説明】
【００１１】
【図１】図１は、本発明の第１の実施の形態に係る通信システムの構成の一例を示す図である。
【図２】図２は、第１の実施の形態に係る中継装置の構成の一例を示すブロック図である。
【図３】図３は、第１の実施の形態に係る末端装置の構成の一例を示すブロック図である。
【図４】図４は、第１の実施の形態に係る中継装置の記憶部に記憶されている通知時刻テーブルの一例を示す図である。
【図５】図５は、第１の実施の形態に係る中継装置の記憶部に記憶されている通信結果テーブルの一例を示す図である。
【図６】図６は、第１の実施の形態に係る中継装置の動作の一例を示すフローチャートである。
【図７】図７は、本発明の第２の実施の形態に係る通信システムの構成の一例を示すブロック図である。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［第１の実施の形態］
図１は、本発明の第１の実施の形態に係る通信システムの構成の一例を示す図である。この通信システム１は、外部装置６Ａ、６Ｂ（これらを総称するときは単に「外部装置６」という。）に公衆網５を介して接続され、ファクシミリデータを中継する中継装置２と、中継装置２に私設網３を介して接続された第１乃至第３の末端装置４Ａ、４Ｂ、４Ｃ（これらを総称するときは単に「末端装置４」という。）とを備える。なお、末端装置４及び外部装置６の数は、同図のものに限られない。
【００１４】
外部装置６は、例えば、ファクシミリ装置、ファクシミリ機能を有するパーソナルコンピュータ（ＰＣ）、ファクシミリ機能を含む複数の機能を有する複合機等である。
【００１５】
公衆網５は、通信運営会社が設営した有料の通信ネットワークであり、例えば、公衆交換電話網（ＰＳＴＮ：Public Switched Telephone Networks）、サービス総合ディジタル網（ＩＳＤＮ：Integrated Services Digital Network）等の外部ネットワークである。
【００１６】
中継装置２は、末端装置４からのファクシミリデータを外部装置６にファクシミリ送信（同報送信を含む）する機能、及び外部装置６からのファクシミリデータを受信し、末端装置４に一斉に転送（同報送信）する機能（ファクシミリ機能）を有する。中継装置２は、例えば、ファクシミリ機能を含む複数の機能を有する第１の画像処理装置の一例としての複合機である。この複合機が有する機能としては、ファクシミリ機能の他に、例えば印刷機能、複写機能、スキャン機能を有する。
【００１７】
私設網３は、無料又は極めて廉価な料金で高速通信が可能な通信ネットワークであり、例えば、ローカルエリアネットワーク（ＬＡＮ：Local Area Network）、イントラネット等の内部ネットワークであり、有線、無線は問わない。
【００１８】
末端装置４は、例えば、ファクシミリ機能を有していないことを除き第１の画像処理装置と同一の機能を有する第２の画像処理装置の一例としての複合機である。なお、末端装置４は、ファクスモデムを備えていないパーソナルコンピュータ（ＰＣ）、多機能携帯電話機（スマートフォン）等でもよい。
【００１９】
末端装置４は、ファクシミリ機能を有していない場合でも、私設網３にマルチキャストコマンドを送出することにより、同一の私設網３上に中継装置２が存在するか否か、存在する場合には幾つ存在するか、及び存在する中継装置のメールアドレス等の情報を入手し、自己の末端装置４内のメモリにその情報を格納し、ファクシミリ送信を行いたい場合には、その情報を基に、中継装置２に電子メールでファクシミリ送信を依頼することで、ファクシミリ送信が可能となっている。
【００２０】
（中継装置）
図２は、中継装置２の構成の一例を示すブロック図である。中継装置２は、制御部２０を有し、この制御部２０に、記憶手段の一例としての記憶部２１、操作表示部２２、画像読取部２３、画像処理部２４、画像出力部２５、ファクシミリ通信部２６及びネットワーク通信部２７が接続されている。
【００２１】
記憶部２１は、ＲＯＭ、ＲＡＭ、ハードディスク等から構成され、中継装置２が有する各種の機能をＣＰＵが実行するための機能実行プログラム２１０等の各種のプログラム、及び通知時刻テーブル２１１、通信結果テーブル２１２、短縮ダイヤル等の宛先情報、宛先の能力情報等の各種のデータを記憶する。
【００２２】
操作表示部２２は、例えばタッチパネルを有し、操作者からの指示等の入力を受け付けるとともに、操作者に対する表示を行う。画像読取部２３は、例えばスキャナにより構成され、原稿から画像データを読み取って入力する。画像処理部２４は、画像データの圧縮、伸長、合成等の画像処理を行う。画像出力部２５は、例えば感光体による像保持体を有し、用紙等の記録媒体に画像を形成して出力する。
【００２３】
ファクシミリ通信部２６は、Ｇ３、Ｇ４等のファクシミリプロトコルに従って画像データの変復調を行うモデムの機能と公衆網５との接続制御を行うＮＣＵの機能を有し、公衆網５を介してファクシミリ通信を行う。
【００２４】
ネットワーク通信部２７は、ＴＣＰ／ＩＰ等の通信プロトコルに従って電子メールの送受信制御及びネットワークに関する制御を行い、私設網３を介してデータの送受信を行う。
【００２５】
制御部２０は、ＣＰＵ、インターフェース等から構成されている。ＣＰＵは、機能実行プログラム２１０に従って動作することにより、登録手段２００、受付手段２０１、通信手段２０２、判定手段２０３、記録手段２０４、通知手段２０５等として機能する。
【００２６】
登録手段２００は、送信元の末端装置４に対応して通信結果情報を通知する通知時刻を通知時刻テーブル２１１に登録する。
【００２７】
受付手段２０１は、送信元の末端装置４から送信先の外部装置６へのファクシミリ送信の要求を電子メールにより受け付ける。
【００２８】
通信手段２０２は、送信元の末端装置４から送信先の外部装置６に私設網３を介してファクシミリ送信の要求があったとき、送信先の外部装置６に対して公衆網５を介してファクシミリ通信を行う。
【００２９】
判定手段２０３は、通信手段２０２によるファクシミリ通信が成功したか失敗したかを判定する。
【００３０】
記録手段２０４は、判定手段２０３による判定結果を通信結果情報として記憶部２１の通信結果テーブル２１２に記録する。
【００３１】
通知手段２０５は、通知条件として通知時刻テーブル２１１に送信元に対応して登録された通知時刻が到来したとき、記録手段２０４により当該送信元に対応して記録された通信結果情報をテキスト化し、電子メールに添付して私設網３を介して送信元に通知する。なお、通信結果情報をレポート化し、ＰＤＦファイルとして送付してもよい。また、インターフェースコマンドで送付してもよく、通信結果情報をテキスト化し、ファイルとして送付してもよい。
【００３２】
通知条件の他の例として、通知手段２０５は、送信元から通知依頼があったとき、通知時刻が到来する前であっても通信結果情報を送信元に通知してもよい。また、通知手段２０５は、判定手段２０３によるファクシミリ通信が失敗したと判定されたとき、通知時刻が到来する前であっても通信結果情報を送信元に通知してもよい。また、通知手段２０５は、ファクシミリ通信が失敗した通信結果情報のみを送信元に通知してもよい。また、通知手段２０５は、例えば同報送信のとき、通信結果の件数が予め定められた件数が蓄積されたら送信元に通知してもよい。
【００３３】
なお、登録手段２００、受付手段２０１、通信手段２０２、判定手段２０３、記録手段２０４又は通知手段２０５は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００３４】
（末端装置）
図３は、末端装置４の構成の一例を示すブロック図である。末端装置４は、制御部４０を有し、この制御部４０に、記憶手段の一例としての記憶部４１、操作表示部４２、画像読取部４３、画像処理部４４、画像出力部４５及びネットワーク通信部４７が接続されている。
【００３５】
記憶部４１は、ＲＯＭ、ＲＡＭ、ハードディスク等から構成され、末端装置４が有する各種の機能をＣＰＵが実行するための通信プログラムの一例としての機能実行プログラム４１０等の各種のプログラム、及び各種のデータを記憶する。
【００３６】
操作表示部４２は、例えばタッチパネルを有し、操作者からの指示等の入力を受け付けるとともに、操作者に対する表示を行う。画像読取部４３は、例えばスキャナにより構成され、原稿から画像データを読み取って入力する。画像処理部４４は、画像データの圧縮、伸長、合成等の画像処理を行う。画像出力部４５は、例えば感光体による像保持体を有し、用紙等の記録媒体に画像を形成して出力する。
【００３７】
ネットワーク通信部４７は、ＴＣＰ／ＩＰ等の通信プロトコルに従って電子メールの送受信制御及びネットワークに関する制御を行い、私設網３を介してデータの送受信を行う。
【００３８】
図４は、中継装置２の記憶部２１に記憶されている通知時刻テーブル２１１の一例を示す図である。通知時刻テーブル２１１は、装置ＩＤ欄２１１ａ及び通知時刻欄２１１ｂを有する。装置ＩＤ欄２１１ａには、送信元情報の一例としての装置ＩＤが予め登録されている。通知時刻欄２１１ｂには、送信元が通信結果の通知を希望する通知時刻が送信元に対応して登録される。
【００３９】
第１乃至第３の末端装置４Ａ〜４Ｃには、それぞれ装置ＩＤの「Ａ」、「Ｂ」、「Ｃ」が割り当てられている。図示はされていないが、第４及び第５の末端装置には、それぞれ装置ＩＤの「Ｄ」、「Ｅ」が割り当てられている。図４に示す場合は、装置ＩＤ欄２１１ａには、装置ＩＤの「Ａ」〜「Ｅ」が予め登録されている。なお、末端装置４の送信元情報として、装置ＩＤの他に、ＩＰアドレス、メールアドレス等でもよい。
【００４０】
図４に示す場合は、通知時刻欄２１１ｂには、送信元の装置ＩＤの「Ａ」、「Ｂ」、「Ｃ」、「Ｄ」、「Ｅ」に対応して通知時刻の「17：00」、「18：00」、「20：00」、「17：00」、「None」が登録されている。ここで、「None」は通知時刻の指定がない場合を示しており、この場合は通信結果情報が送信元に直ちに通知される。なお、通知時刻は、時刻に限られず、「2012.11.06 17:00」のように年・月・日と時刻の両方を含むものでもよい。この場合は、通信結果情報の通知が長時間経過後になる可能性もあるが、週末、休暇等の特定の日時を指定したい場合には、有効となる。なお、本実施の形態では、ある特定端末（例えば、装置ＩＤ「Ａ」）について、一つだけ、通知時刻を設定しているが、特定端末から複数のＦａｘ送信ジョブが登録される場合には、ジョブ毎に通知時刻を設定することも可能である。
【００４１】
図５は、中継装置２の記憶部２１に記憶されている通信結果テーブル２１２の一例を示す図である。通信結果テーブル２１２は、送信元毎に設けられており、装置ＩＤ欄２１２ａ、受付時刻欄２１２ｂ、ファクス番号欄２１２ｃ、通信結果欄２１２ｄ及び送信枚数欄２１２ｅを有する。
【００４２】
図５に示す場合は、装置ＩＤ欄２１２ａには、送信元の末端装置４の装置ＩＤが記載されている。受付時刻欄２１２ｂには、中継装置２が末端装置４からファクシミリ送信を受け付けた時刻が登録される。ファクス番号欄２１２ｃには、送信先のファクス番号が登録される。通信結果欄２１２ｄには、ファクシミリ通信が成立したことを示す情報、例えば「ＯＫ」、又はファクシミリ通信が失敗したことを示す情報、例えば「ＮＧ」が登録される。送信枚数欄２１２ｅには、送信が完了した枚数が登録される。通信結果テーブル２１２に登録された装置ＩＤ、受付時刻、ファクス番号、通信結果、送信枚数は、通信結果情報の一例である。なお、通信結果情報は、解像度、通信速度、画像サイズ等を含めてもよい。
【００４３】
（第１の実施の形態の動作）
次に、通信システム１の動作の一例について図６を参照して説明する。
【００４４】
（１）通知時刻テーブル２１１への登録
末端装置４のユーザは、操作表示部４２を操作し、通信結果の通知を希望する通知時刻を入力する。制御部４０は、入力された通知時刻、及び自己の装置ＩＤをネットワーク通信部４７により私設網３を介して中継装置２に送信する。なお、通知時刻はＷｅｂブラウザ等を利用して通知時刻テーブル２１１に対して登録及び変更できるようにしてもよい。また、通知時刻は中継装置２の操作表示部２２を操作して登録及び変更してもよい。
【００４５】
中継装置２は、末端装置４から送信された通知時刻及び装置ＩＤを受信すると、登録手段２００は、通知時刻テーブル２１１の対応する装置ＩＤの通知時刻欄２１１ｂに通知時刻を登録する。例えば、装置ＩＤが「Ａ」の第１の末端装置４Ａから通知時刻として「17：00」が中継装置２に送信された場合は、登録手段２００は、通知時刻テーブル２１１の装置ＩＤ欄２１１ａの「Ａ」に対応する通知時刻欄２１１ｂに通知時刻の「17：00」を登録する。なお、登録された通知時刻は、末端装置４からの変更指示に基づき登録手段２００が通知時刻を変更してもよい。
【００４６】
（２）ファクシミリ通信及び通信結果の通知
図６は、第１の実施の形態に係る中継装置２の動作の一例を示すフローチャートである。中継装置２の受付手段２０１は、送信元の末端装置４から送信先の外部装置６へのファクシミリ送信の要求を電子メールにより受け付けると（Ｓ１）、通信手段２０２は、送信先の外部装置６に対して公衆網５を介してファクシミリ通信を行う（Ｓ２）。
【００４７】
判定手段２０３は、通信手段２０２によるファクシミリ通信が成功したか否（失敗）かを判定する（Ｓ３）。
【００４８】
ファクシミリ通信が成功したと判定された場合は（Ｓ３：Ｙｅｓ）、記録手段２０４は、通信結果テーブル２１２にファクシミリ通信が成功したことを示す通信結果（ＯＫ）を含む通信結果情報を記録する（Ｓ４）。例えば、図５に示すように、記録手段２０４は、通信結果テーブル２１２の受付時刻欄２１２ｂに受付時刻（例えば9：05）、ファクス番号欄２１２ｃに送信先のファクス番号（例えば03-1234-***8）、通信結果欄２１２ｄに通信結果（例えばＯＫ）、送信枚数欄２１２ｅに送信枚数（例えば5）をそれぞれ記録する。
【００４９】
上記ステップＳ３において、ファクシミリ通信が失敗したと判定された場合は（Ｓ３：Ｎｏ）、記録手段２０４は、通信結果テーブル２１２にファクシミリ通信が失敗したことを示す通信結果（ＮＧ）を含む通信結果情報を記録する（Ｓ５）。例えば、図５に示すように、記録手段２０４は、通信結果テーブル２１２の受付時刻欄２１２ｂに受付時刻（例えば11：13）、ファクス番号欄２１２ｃに送信先のファクス番号（例えば03-1234-***9）、通信結果欄２１ｄに通信結果（例えばＮＧ）、送信枚数欄２１２ｅに送信枚数（例えば2）をそれぞれ記録する。
【００５０】
通信手段２０２は、タイムアウトになるまで（Ｓ６：Ｎｏ）、同一の送信先に再度ファクシミリ通信を行う（Ｓ２）。
【００５１】
通知手段２０５は、通知時刻テーブル２１１に基づいて、通知時刻が到来したか否かをチェックする（Ｓ７）。通知時刻が到来すると（Ｓ７：Ｙｅｓ）、当該末端装置４に対応して通信結果テーブル２１２に記録された通信結果情報が存在するか否かを確認し（Ｓ８）、通信結果情報が存在すれば（Ｓ８：Ｙｅｓ）、その通信結果情報を当該末端装置４に通知する（Ｓ９）。通知手段２０５は、通信結果情報を通知した後は、当該末端装置４に対応して通信結果テーブル２１２に記録された通信結果情報を初期化する。例えば、装置ＩＤが「Ａ」に対応する通知時刻の「17：00」が到来すると、装置ＩＤが「Ａ」の通信結果テーブル２１２に記録された通信結果情報をネットワーク通信部２７により私設網３を介して送信元の装置ＩＤが「Ａ」の第１の末端装置４Ａに通知する。
【００５２】
［第２の実施の形態］
図７は、本発明の第２の実施の形態に係る通信システムの構成の一例を示す図である。第１の実施の形態では、送信元の末端装置４と中継装置２とを私設網３によって接続したが、本実施の形態では、送信元の第１乃至第３のファクシミリ装置１４Ａ、１４Ｂ、１４Ｃ（これらをまとめて総称するときは「ファクシミリ装置１４」という。）、中継装置１２及び送信先のファクシミリ装置１６Ａ、１６Ｂ（これらをまとめて総称するときは「ファクシミリ装置１６」という。）を公衆網５によって接続したものである。以下、第１の実施の形態と異なる点を中心に説明する。
【００５３】
送信元のファクシミリ装置１４は、例えば、ファクシミリ機能を有するＰＣ、ファクシミリ機能を含む複数の機能を有する複合機等でもよい。
【００５４】
通知手段２０５は、送信元に対応して登録された通知条件に基づいて、記録手段２０４により当該送信元に対応して記録された通信結果情報を、ファクシミリプロトコルに従って中継装置２に対して公衆網５を介してファクシミリ送信する。なお、通信結果情報をレポート化し、画情報としてファクシミリ送信してもよい。
【００５５】
送信先のファクシミリ装置１６は、例えば、ファクシミリ機能を有するＰＣ、ファクシミリ機能を含む複数の機能を有する複合機等でもよい。
【００５６】
（第２の実施の形態の動作）
第２の実施の形態に係る中継装置２の動作の一例を説明する。
【００５７】
（１）通知時刻テーブル２１１への登録
例えば、送信元のファクシミリ装置１４のユーザの依頼に基づき、中継装置２の管理者は、操作表示部２２を操作し、通信結果情報の通知を希望する通知時刻を入力する。中継装置２の登録手段２００は、通知時刻テーブル２１１の対応する装置ＩＤの通知時刻欄２１１ｂに通知時刻を登録する。
【００５８】
（２）ファクシミリ通信及び通信結果の通知
ファクシミリ通信及び通信結果の通知を図６のフローチャートを用いて説明する。中継装置２は、ファクシミリ装置１４からファクシミリ通信によりファクシミリ送信の要求があると、それを受け付けし（Ｓ１）、通信手段２０２は、送信先のファクシミリ装置１６に対して公衆網５を介してファクシミリ通信を行う（Ｓ２）。
【００５９】
判定手段２０３は、通信手段２０２によるファクシミリ通信が成功したか否（失敗）かを判定する（Ｓ３）。
【００６０】
ファクシミリ通信が成功したと判定された場合は（Ｓ３：Ｙｅｓ）、記録手段２０４は、通信結果テーブル２１２にファクシミリ通信が成功したことを示す通信結果（ＯＫ）を含む通信結果情報を記録する（Ｓ４）。
【００６１】
上記ステップＳ３において、ファクシミリ通信が失敗したと判定された場合は（Ｓ３：Ｎｏ）、記録手段２０４は、通信結果テーブル２１２にファクシミリ通信が失敗したことを示す通信結果（ＮＧ）を含む通信結果情報を記録する（Ｓ５）。
【００６２】
通信手段２０２は、タイムアウトになるまで（Ｓ６：Ｎｏ）、同一の送信先に再度ファクシミリ通信を行う（Ｓ２）。
【００６３】
通知手段２０５は、通知時刻テーブル２１１に基づいて、通知時刻が到来したか否かをチェックする（Ｓ７）。通知時刻が到来すると（Ｓ７：Ｙｅｓ）、当該ファクシミリ装置１４に対応して通信結果テーブル２１２に記録された通信結果情報が存在するか否かを確認し（Ｓ８）、通信結果情報が存在すれば（Ｓ８：Ｙｅｓ）、その通信結果情報をファクシミリ送信により公衆網５を介して当該ファクシミリ装置１４に通知する（Ｓ９）。通知手段２０５は、通信結果情報を通知した後は、当該ファクシミリ装置１４に対応して通信結果テーブル２１２に記録された通信結果情報を初期化する。
【００６４】
以上、本発明の実施の形態を説明したが、本発明の実施の形態は上記実施の形態に限定されるものではなく、本発明の要旨を変更しない範囲内で種々の変形、実施が可能である。例えば、上記各実施の形態では、通信結果情報の通知先は、送信元に通知したが、送信元のユーザが所有する多機能携帯電話機（スマートフォン）等の指定された先に通知してもよい。
【００６５】
また、本発明の要旨を変更しない範囲内で、上記実施の形態の構成要素の一部を省くことや変更することが可能である。
【００６６】
また、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することもできる。
【符号の説明】
【００６７】
１…通信システム、２…中継装置、３…私設網、４…末端装置（送信元）、４Ａ…第１の末端装置（送信元）、４Ｂ…第２の末端装置（送信元）、４Ｃ…第３の末端装置（送信元）、５…公衆網、６、６Ａ、６Ｂ…外部装置（送信先）、１４…ファクシミリ装置（送信元）、１４Ａ…第１のファクシミリ装置（送信元）、１４Ｂ…第２のファクシミリ装置（送信元）、１４Ｃ…第３のファクシミリ装置（送信元）、１６、１６Ａ、１６Ｂ…ファクシミリ装置（送信先）、２０…制御部、２１…記憶部、２２…操作表示部、２３…画像読取部、２４…画像処理部、２５…画像出力部、２６…ファクシミリ通信部、２７…ネットワーク通信部、４０…制御部、４１…記憶部、４２…操作表示部、４３…画像読取部、４４…画像処理部、４５…画像出力部、４７…ネットワーク通信部、２００…登録手段、２０１…受付手段、２０２…通信手段、２０３…判定手段、２０４…記録手段、２０５…通知手段、２１０…機能実行プログラム、２１１…通知時刻テーブル、２１１ａ…装置ＩＤ欄、２１１ｂ…通知時刻欄、２１２…通信結果テーブル、２１２ａ…装置ＩＤ欄、２１２ｂ…受付時刻欄、２１２ｃ…ファクス番号欄、２１２ｄ…通信結果欄、２１２ｅ…送信枚数欄、４１０…機能実行プログラム
【図１】
2014183546.tif 000003
【図２】
2014183546.tif 000004
【図３】
2014183546.tif 000005
【図４】
2014183546.tif 000006
【図５】
2014183546.tif 000007
【図６】
2014183546.tif 000008
【図７】
2014183546.tif 000009